【手続補正書】
【提出日】平成19年7月2日(2007.7.2)
【手続補正１】
【補正対象書類名】明細書
【補正対象項目名】発明の名称
【補正方法】変更
【補正の内容】
【発明の名称】記録装置用インクカートリッジ、インクジェット記録装置、およびインク供給システム
【手続補正２】
【補正対象書類名】明細書
【補正対象項目名】特許請求の範囲
【補正方法】変更
【補正の内容】
【特許請求の範囲】
【請求項１】  可撓性素材により形成され、内部にインクが封入されたインクパックと、前記インクパックを収納し、気密状態に形成されたカートリッジケースとにより構成され、記録装置への装填状態において前記ケース内に加圧空気が導入されるように成された記録装置用インクカートリッジであって、
前記カートリッジケースの一面に、記録装置へ装填する場合の位置決め手段、インクパックからのインク導出口、加圧空気の導入口、および直交する二面が開放された内底部を配置してなり、
前記内底部に、データ記憶手段を備えた回路基板を配置してなる記録装置用インクカートリッジ。
【請求項２】  前記位置決め手段は、前記記録装置の位置決めピンを包囲する開口穴である請求項１に記載の記録装置用インクカートリッジ。
【請求項３】  前記位置決め手段は、前記記録装置の位置決めピンを包囲する一対の開口穴であり、前記一対の開口穴は、前記ケースの前記一面における長手方向に沿った２か所に配置されてなる請求項２に記載の記録装置用インクカートリッジ。
【請求項４】  前記一対の開口穴のほぼ中間部に前記インク導出口が配置されてなる請求項３に記載の記録装置用インクカートリッジ。
【請求項５】  前記一対の開口穴の両外側のうち一方の側に、前記加圧空気の導入口が配置され、
前記一対の開口穴の両外側のうち他方の側に、前記内底部が配置されてなる請求項３または請求項４に記載の記録装置用インクカートリッジ。
【請求項６】  請求項１乃至請求項５のいずれかに記載のインクカートリッジが装着されるインクジェット式記録装置であって、
前記カートリッジケースの一面に配置された位置決め手段を利用してインクカートリッジを装填した状態において、前記インク導出口に対して回路基板の接続端子が重力方向の上部に位置するように構成したインクジェット式記録装置。
【請求項７】  可撓性素材により形成され内部にインクが封入されたインクパックと、前記インクパックを収納し気密状態に形成されたカートリッジケースと、により構成され、記録装置への装填状態において前記ケース内に加圧空気が導入されるように成されたインクカートリッジと、
前記インクカートリッジが着脱可能に装填されるカートリッジホルダと、
前記インクカートリッジが前記カートリッジホルダに装填された状態において、前記回路基板に電気的に接続される端子機構と、
を備え、
インクを前記インクカートリッジから記録ヘッドに供給するためのインク供給システムであって、
前記カートリッジケースの一面には、記録装置へ装填する場合の位置決め手段、インクパックからのインク導出口、加圧空気の導入口、および直交する二面が開放された内底部が配置され、
前記内底部に、データ記憶手段を備えた回路基板が配置され、
前記端子機構は、前記インクカートリッジが前記カートリッジホルダに装填された状態において、前記二面のうち一方の面を介して、前記回路基板の接続端子に電気的に接続される
ことを特徴とするインク供給システム。
【請求項８】  前記位置決め手段は、前記記録装置の位置決めピンを包囲する開口穴である請求項７に記載のインク供給システム。
【請求項９】  前記位置決め手段は、前記記録装置の位置決めピンを包囲する一対の開口穴であり、前記一対の開口穴は、前記ケースの前記一面における長手方向に沿った２か所に配置されてなる請求項８に記載のインク供給システム。
【請求項１０】  前記一対の開口穴のほぼ中間部に前記インク導出口が配置されてなる請求項９に記載のインク供給システム。
【請求項１１】  前記一対の開口穴の両外側のうち一方の側に、前記加圧空気の導入口が配置され、
前記一対の開口穴の両外側のうち他方の側に、前記内底部が配置されてなる請求項９または請求項１０に記載のインク供給システム。
【請求項１２】  前記インクカートリッジが前記カートリッジホルダに装填された状態において、前記インク導出口に対して前記回路基板の前記接続端子が重力方向の上部に位置するように構成した請求項７乃至請求項１１のいずれかに記載のインク供給システム。
【手続補正３】
【補正対象書類名】明細書
【補正対象項目名】０００１
【補正方法】変更
【補正の内容】
【０００１】
【発明の属する技術分野】
本発明は、インクジェット式記録装置に用いられ、空気加圧ポンプにより生成される空気圧を印加することにより、記録ヘッド側にインクを供給するように構成されたインクカートリッジ、これを用いるインクジェット式記録装置、及びこのようなインクカートリッジを用いたインク供給システムに関する。
【手続補正４】
【補正対象書類名】明細書
【補正対象項目名】００１１
【補正方法】変更
【補正の内容】
【００１１】
本発明は、このような技術的な課題に基づいてなされたものであり、機構的および電気的な接続を確実になされる位置決め機構を提供すると共に、何らかの障害を受けてカートリッジからインク漏れが発生しても回路基板の接続端子部分の汚染を効果的に回避することができるインクカートリッジ、これを用いるインクジェット式記録装置、及びこのようなインクカートリッジを用いたインク供給システムを提供することを目的とするものである。
【手続補正５】
【補正対象書類名】明細書
【補正対象項目名】００１２
【補正方法】変更
【補正の内容】
【００１２】
【課題を解決するための手段】
前記した目的を達成するためになされた本発明にかかる記録装置用インクカートリッジは、可撓性素材により形成され、内部にインクが封入されたインクパックと、前記インクパックを収納し、気密状態に形成されたカートリッジケースとにより構成され、記録装置への装填状態において前記ケース内に加圧空気が導入されるように成された記録装置用インクカートリッジであって、前記カートリッジケースの一面に、記録装置へ装填する場合の位置決め手段、インクパックからのインク導出口、加圧空気の導入口、および直交する二面が開放された内底部を配置してなり、前記内底部に、データ記憶手段を備えた回路基板を配置した構成とされる。
また、本発明にかかるインク供給システムは、可撓性素材により形成され内部にインクが封入されたインクパックと、前記インクパックを収納し気密状態に形成されたカートリッジケースと、により構成され、記録装置への装填状態において前記ケース内に加圧空気が導入されるように成されたインクカートリッジと、前記インクカートリッジが着脱可能に装填されるカートリッジホルダと、前記インクカートリッジが前記カートリッジホルダに装填された状態において、前記回路基板に電気的に接続される端子機構と、を備え、インクを前記インクカートリッジから記録ヘッドに供給するためのインク供給システムであって、前記カートリッジケースの一面には、記録装置へ装填する場合の位置決め手段、インクパックからのインク導出口、加圧空気の導入口、および直交する二面が開放された内底部が配置され、前記内底部に、データ記憶手段を備えた回路基板が配置され、前記端子機構は、前記インクカートリッジが前記カートリッジホルダに装填された状態において、前記二面のうち一方の面を介して、前記回路基板の接続端子に電気的に接続されることを特徴とする。
【手続補正６】
【補正対象書類名】明細書
【補正対象項目名】００１３
【補正方法】変更
【補正の内容】
【００１３】
この場合、前記位置決め手段は、好ましくは前記記録装置の位置決めピンを包囲する開口穴である。そして、好ましい実施の形態においては、前記位置決め手段は、前記記録装置の位置決めピンを包囲する一対の開口穴であり、前記一対の開口穴は、前記ケースの前記一面における長手方向に沿った２か所に配置され、前記一対の開口穴のほぼ中間部に前記インク導出口が配置された構成とされる。さらに、好ましくは前記一対の開口穴の両外側のうち一方の側に、前記加圧空気の導入口が配置され、前記一対の開口穴の両外側のうち他方の側に、前記内底部が配置された構成とされる。
【手続補正７】
【補正対象書類名】明細書
【補正対象項目名】００１４
【補正方法】変更
【補正の内容】
【００１４】
以上のように構成されたインクカートリッジ又はインク供給システムによると、カートリッジケースの一面に、記録装置へ装填する場合の位置決め手段が配置され、同じく前記一面に、インクパックからのインク導出口、加圧空気の導入口、およびデータ記憶手段を備えた回路基板の接続端子が集中して配置されているので、位置決め手段によってカートリッジケースの前記一面が位置決めされることにより、機構的および電気的な各接続機構の位置合わせも正確になされ、位置決め精度を向上させることができる。
【手続補正８】
【補正対象書類名】明細書
【補正対象項目名】００１６
【補正方法】変更
【補正の内容】
【００１６】
一方、前記したインクカートリッジが装填されるインクジェット式記録装置や、インク供給システムにおいては、カートリッジケースの一面に配置された前記位置決め手段を利用してインクカートリッジを装填した状態において、インク導出口に対して回路基板の接続端子が重力方向の上部に位置するように構成されることが好ましい。
【手続補正９】
【補正対象書類名】明細書
【補正対象項目名】００１７
【補正方法】変更
【補正の内容】
【００１７】
このような位置関係をもって記録装置に対してカートリッジが装填されるので、何らかの障害を受けてカートリッジのインク導出口よりインク漏れが発生しても、回路基板の接続端子部分は漏洩インクによる汚染から回避することができる。したがって、記録装置の正常な動作を確保することができ、信頼性に優れた記録装置又はインク供給システムを提供することに寄与できる。
【手続補正１０】
【補正対象書類名】明細書
【補正対象項目名】００４７
【補正方法】変更
【補正の内容】
【００４７】
【発明の効果】
以上の説明で明らかなように、本発明にかかる記録装置用インクカートリッジ、又はインク供給システムによると、カートリッジケースの一面に、記録装置へ装填する場合の位置決め手段が配置され、同じく前記一面に、インクパックからのインク導出口、加圧空気の導入口、およびデータ記憶手段を備えた回路基板の接続端子が集中して配置されているので、位置決め手段によってカートリッジケースの前記一面が位置決めされることにより、機構的および電気的な接続機構の位置合わせも正確になされる。これにより位置決め精度を向上させることができ、この種の記録装置の動作の信頼性を向上させることができる。
【手続補正１１】
【補正対象書類名】明細書
【補正対象項目名】００４８
【補正方法】変更
【補正の内容】
【００４８】
また、本発明にかかるインクジェット式記録装置又はインク供給システムによると、カートリッジケースの一面に配置された前記位置決め手段を利用してインクカートリッジを装填した状態において、インク導出口に対して回路基板の接続端子が重力方向の上部に位置するように成されることにより、何らかの障害を受けてインク導出口よりインク漏れが発生しても、回路基板の接続端子部分は漏洩インクによる汚染から回避することができる。したがって、記録装置の正常な動作を確保することができる。